(57)【特許請求の範囲】
【請求項１】
方向指示具（４）をライン引き（８）の上面に配設した方向指示具付ライン引きであって、鏡面を上方に向けた方形の第一鏡（１）を設け、この第一鏡（１）の上方に第一鏡（１）に対して垂直に立設した互いに同形の一対の側板（３、３）を介して鏡面をライン引きの進行前方斜め下方に向けた第二鏡（２）を設けて方向指示具（４）を構成したことを特徴とする方向指示具付ライン引き。
【請求項２】
上記第二鏡（２）の両側面の対向する箇所に軸（１１、１１）又は軸受け（１３、１３）を設け、この軸（１１、１１）又は軸受け（１３、１３）を上記両側板（３、３）に軸支して上記第二鏡（２）の傾斜角度を可変にしたことを特徴とする請求項１記載の方向指示具付ライン引き。
【請求項３】
方向指示具（１０４）をライン引き（８）の上面に配設した方向指示具付ライン引きであって、鏡面をライン引きの進行前方斜め上方に向けた方形の第一鏡（１０１）を設け、この第一鏡（１０１）の両端部から鏡面に対して垂直に立設した互いに同形の一対の側板（３、３）を介して鏡面をライン引きの進行後方に向けた第二鏡（１０２）を設けて方向指示具（１０４）を構成したことを特徴とする方向指示具付ライン引き。
【請求項４】
上記第一鏡（１）及び上記第二鏡（２）の鏡面上にライン引きの進行前方に真直ぐに向いた線（１０、１０）を表示するか又は上記第一鏡（１）及び上記第二鏡（２）の間に上記側板（３、３）と平行方向に照準板（５）又は複数本の照準体（６、６・・・）を差し渡して方向指示具（４０）を構成し、この方向指示具（４０）をライン引き（８）の上面に配設したことを特徴とする請求項１又は請求項２記載の方向指示具付ライン引き。
【請求項５】
上記第一鏡（１０１）及び上記第二鏡（１０２）の鏡面上にライン引きの進行前方に真直ぐに向いた線（１０、１０）を表示するか又は上記第一鏡（１０１）及び上記第二鏡（１０２）の間に上記側板（３、３）と平行方向に照準板（５）又は複数本の照準体（６、６・・・）を差し渡して方向指示具（１４４）を構成し、この方向指示具（１４４）をライン引き（８）の上面に配設したことを特徴とする請求項３記載の方向指示具付ライン引き。
【請求項６】
請求項１〜５のいずれかに記載の方向指示具付ライン引きにおいて、上記方向支持具（４、１０４、４０、１４４）をライン引き（８）の上面部に水平に回動自在にして設けたことを特徴とする回転式方向指示具付ライン引き。
【発明の詳細な説明】
【技術分野】
【０００１】
本発明は、グランドにおいて各種競技を行うためにライン引きを使用して白線を引く方法に関するものである。
【背景技術】
【０００２】
グランドにおいて各種競技をする前に、その競技用の白線を引く必要がある。この白線を引く場合には巻尺を使用して引いているが、巻尺を使用しないで勘に頼って引く場合も少なくない。この作業は広い範囲に亘って正確に引かなければならないので、以外と時間の掛かる作業である。一部の野球（ソフトボール）場ではベースやプレートの位置を地面に埋めた目印で表示しているが、多目的グランドなどでは適当に位置を決めてから白線を引いている。従来使用している２車輪、４車輪のライン引きで白線を引く時は、２人が巻尺を真直ぐに伸ばしてこの巻尺の両端を押さえた後、この巻尺に沿って白線を引いている。競技の種目によって直角に白線を引く場合には複数回巻尺で測る必要がある。また野球（ソフトボール）の場合は二塁ベースの位置とピッチャープレートの位置も複数回巻尺で測った後に引いている。出願人が先に取得している特許第３５２１０８４号のライン引きは補助車輪を取り付けているので、４車輪として安定して真直ぐに引くことができるものである。
【０００３】
【特許文献１】特許第３５２１０８４号
【発明の開示】
【発明が解決しようとする課題】
【０００４】
ライン引きで綺麗に真直ぐな線を引くには相当の熟練を要する作業である。それは２車輪であることと、前方とライン引きの粉の出るところの両方を見ながら白線を引いて行くことが難しいのである。白線を引く前に計測をする必要もある。これは一人が巻尺を持ち別の人が巻尺の一方端を持ち計測する二箇所の地面に巻尺を引っ張った状態で位置を決めなければならない。この位置を決める事と計測する事に時間がかかる。計測するのは長さと角度である。短時間に白線を引くには、予め目印になる場所や目印を設けておけば、後は白線を真直ぐに引くことが出来れば良い訳である。
【０００５】
本発明は、上記の点を鑑みて、競技前の準備のためグランドにおいて白線を引く場合に、ライン引きの進行前方が見易いライン引きにする事と、あらかじめ計測して目印を印した所や遠方の目標とする目印のある所に巻尺を使用せず真直ぐに白線を引くことができるようにする事と、簡単に直角や４５度の位置決めをして白線を引くことが出来るようにする事を課題としたものである。
【課題を解決するための手段】
【０００６】
そこで、本発明の請求項１記載の方向指示具付ライン引き（以下、本発明１と言う）は、  方向指示具４をライン引き８の上面に配設した方向指示具付ライン引きであって、鏡面を上方に向けた方形の第一鏡１を設け、この第一鏡１の上方に第一鏡１に対して垂直に立設した互いに同形の一対の側板３、３を介して鏡面をライン引きの進行前方斜め下方に向けた第二鏡２を設けて方向指示具４を構成したことを特徴としている。
【０００７】
かかる構成により、図１に示すように前方から入って来た光（一点斜線の矢印で示している）は、最初に第二鏡２に反射し次に第一鏡１に反射する。その後ライン引きをしている人の目にはライン引きの進行前方を鏡に写して見ることが出来るものである。
【０００８】
本発明の請求項２記載の方向指示具付ライン引き（以下、本発明２と言う）は、上記第二鏡２の両側面の対向する箇所に軸１１、１１又は軸受け１３、１３を設け、この軸１１、１１又は軸受け１３、１３を上記両側板３、３に軸支して上記第二鏡２の傾斜角度を可変にしたことを特徴としている。
【０００９】
かかる構成により、図２に示すように第二鏡２の傾斜角度を可変にすることによって、ライン引きの進行前方から地平線までの広い範囲を鏡に写して見ることが出来るものである。
【００１０】
本発明の請求項３記載の方向指示具付ライン引き（以下、本発明３と言う）は、方向指示具１０４をライン引き８の上面に配設した方向指示具付ライン引きであって、鏡面をライン引きの進行前方斜め上方に向けた方形の第一鏡１０１を設け、この第一鏡１０１の両端部から鏡面に対して垂直に立設した互いに同形の一対の側板３、３を介して鏡面をライン引きの進行後方に向けた第二鏡１０２を設けて方向指示具１０４を構成したことを特徴としている。
【００１１】
かかる構成により、図４に示すように前方から入って来た光（一点斜線の矢印で示している）は、最初に第一鏡１０１に反射し次に第二鏡１０２に反射する。その後ライン引きをしている人の目にはライン引きの進行前方を鏡に写して見ることが出来るものである。
【００１２】
本発明の請求項４記載の方向指示具付ライン引き（以下、本発明４と言う）は、上記第一鏡１及び上記第二鏡２の鏡面上にライン引きの進行前方に真直ぐに向いた線１０、１０を表示するか又は上記第一鏡１及び上記第二鏡２の間に上記側板３、３と平行方向に照準板５又は複数本の照準体６、６・・・を差し渡して方向指示具４０を構成し、この方向指示具４０をライン引き８の上面に配設したことを特徴としている。
【００１３】
本発明で言う照準板５とは薄い板状のものであり、また照準体６とは細い棒や薄い平板などを、複数本間隔を設けて取り付けたものを言い、位置と数は限定するものではないが、中心線上及び／又は中心線の左右に等間隔にして設けることが望ましい。
【００１４】
かかる構成により、図５、図６に示すようにライン引きの上面に乗せた方向指示具４０の第一鏡１及び第二鏡２の鏡面上にライン引きの進行前方に真直ぐに向いた線１０、１０又は照準板５又は複数本の照準体６、６・・・を設けることによって、この鏡を見た時にこの線１０、１０又は照準板５又は複数本の照準体６、６・・・はライン引きの進行前方を真直ぐ指し示しめすことが出来るものである。
【００１５】
本発明の請求項５記載の方向指示具付ライン引き（以下、本発明５と言う）は、上記第一鏡１０１及び上記第二鏡１０２の鏡面上にライン引きの進行前方に真直ぐに向いた線１０、１０を表示するか又は上記第一鏡１０１及び上記第二鏡１０２の間に上記側板３、３と平行方向に照準板５又は複数本の照準体６、６・・・を差し渡して方向指示具１４４を構成し、この方向指示具１４４をライン引き８の上面に配設したことを特徴としている。
【００１６】
かかる構成により、図７に示すようにライン引きの上面に乗せた方向指示具１４４の第一鏡１０１及び第二鏡１０２の鏡面上にライン引きの進行前方に真直ぐに向いた線１０、１０又は照準板５又は複数本の照準体６、６・・・を設けることによって、この鏡を見た時にこの線１０、１０又は照準板５又は複数本の照準体６、６・・・はライン引きの進行前方を真直ぐ指し示しめすことが出来るものである。
【００１７】
本発明の請求項６記載の回転式ライン引き用方向指示具（以下、本発明６と言う）は、請求項１〜５のいずれかに記載の方向指示具付ライン引きにおいて、上記方向支持具４、１０４、４０、１４４をライン引き８の上面部に水平に回動自在にして設けたことを特徴としている。
【００１８】
本発明の方向指示具４、１０４、４０、１４４を水平に回動させる方法として、図８に示すように方向指示具４の底板１２に軸１１又は軸受け１３を取り付け、ライン引きの上面部に軸受け１３又は軸１１を設ける方法か又は図９に示すように方向指示具４をテーブル７上に回動可能にして設け、このテーブル７をライン引き上面部に固定する方法もある。他の方向指示具１０４、４０、１４４も同様の方法で回動させることが出来る。
【００１９】
本発明の方向指示具４、１０４、４０、１４４を回動させて一方向に固定するために、図９に示すように複数箇所にストッパー９を設けることによって出来る。また複数箇所に印１４の表示をすることによって方向指示具４、１０４、４０、１４４を表示した角度の方向に止めることも出来る。
【００２０】
かかる構成により、図８に示すように交点となる場所にライン引きを置き、ライン引きの上面部に乗せた方向指示具４、１０４、４０、１４４を水平方向に回動させることによって角度を変更して、その方向を示すことが出来るものである。
【発明の効果】
【００２１】
本発明１の効果として、図１に示すように前方から入って来た光（一点斜線の矢印で示している）は、最初に第二鏡２に反射し次に第一鏡１に反射した後、白線を引いている人にはライン引きの上面の低い位置からの目線でライン引きの進行前方を見ることが出来るものである。  
【００２２】
本発明２の効果として、図２、図３に示すように第二鏡２の傾斜角度を可変にすることによって、白線を引く人はライン引きの進行前方から地平線までの広い範囲を鏡に写して見ることが出来るものである。
【００２３】
本発明３の効果として、図４に示すように前方から入って来た光（一点斜線の矢印で示している）は、第一鏡１０１と第二鏡１０２に反射した後、白線を引いている人にはライン引きの上面の低い位置からの目線でライン引きの進行前方を見ることが出来るものである。
【００２４】
本発明４の効果として、図５に示すように第一鏡１及び第二鏡２の鏡面上にライン引きの進行前方に真直ぐに向いている線１０、１０を設けることによって、これを片目で覗いて見た場合この二本の線１０、１０は上下に間隔が開いているので重なって一本に見えた時に、これらの鏡に写って見えている線１０、１０の指し示している方向がライン引きの向いている真直ぐな方向である。また図６に示すように第一鏡１及び第二鏡２の間に側板３、３と平行方向に照準板５又は複数本の照準体６、６・・・を差し渡して設けたことによって、これを片目で覗いて見た場合この照準板５又は複数本の照準体６、６・・・が一本の直線に見えた時に、これらの鏡に写って見えている直線の指し示している方向の場所がライン引きの進行前方に向いている真直ぐな方向であり、この線１０、１０又は照準板５又は複数本の照準体６、６・・・の指し示している方向に目標とする目印の場所を合わせた状態を続けながら白線を引いて行くことによって、巻尺を使わずに真直ぐな白線を引くことが出来るものである。
【００２５】
本発明５の効果として、図７に示すように第一鏡１０１及び第二鏡１０２の鏡面上にライン引きの進行前方に真直ぐに向いている線１０、１０を設けることによって、これを片目で覗いて見た場合この二本の線１０、１０は上下に間隔が開いているので重なって一本に見えた時に、これらの鏡に写って見えている線１０、１０の指し示している方向がライン引きの進行前方に向いている真直ぐな方向である。また第一鏡１０１及び第二鏡１０２の間に側板３、３と平行方向に照準板５又は複数本の照準体６、６・・・を差し渡して設けたものを片目で覗いて見た場合、この照準板５又は複数本の照準体６、６・・・が一本の直線に見えた時に、これらの鏡に写って見えている直線の指し示している方向の場所がライン引きの進行前方に向いている真直ぐな方向であり、この線１０、１０又は照準板５又は複数本の照準体６、６・・・の指し示している方向に目標とする目印の場所を合わせた状態を続けながら白線を引いて行くことによって、巻尺を使わずに真直ぐな白線を引くことが出来るものである。
【００２６】
本発明６の効果として、交点となる場所にライン引きを置き、ライン引きの上面に乗せた方向指示具４、１０４、４０、１４４を水平方向に回動させることによって直角の方向や４５度の方向など角度を変えてその方向を示すことが出来るものである。
【発明を実施するための最良の形態】
【００２７】
鏡面を上方に向けた方形の第一鏡１を水平にして設け、この第一鏡１の上方には第一鏡１に対して垂直に立設した同形の側板３、３を介して、鏡面を前方斜め下方に向けた第二鏡２を設け、第二鏡２の両側面の対向する箇所に軸１１、１１又は軸受け１３、１３を設け、上記両側板３、３に軸支して傾斜角度を可変にして、第一鏡１及び上記第二鏡２の鏡面上にライン引きの進行前方に真直ぐに向いた線１０、１０を表示するか又は上記第一鏡１及び上記第二鏡２の間に上記側板３、３と平行方向に照準板５又は複数本の照準体６、６・・・を差し渡して方向支持具４、１０４、４０、１４４を構成し、これをライン引きの上面に乗せて水平方向に回動させるようにしたことである。
【実施例１】
【００２８】
実施の形態の一例として、図１は本発明１の方向指示具の斜視図を示している。方向指示具４をライン引き８の上面に配設した方向指示具付ライン引きであって、鏡面を上方に向けた方形の第一鏡１を設け、この第一鏡１の上方に第一鏡１に対して垂直に立設した互いに同形の一対の側板３、３を介して鏡面をライン引きの進行前方斜め下方に向けた第二鏡２を設けて方向指示具４を構成したことで構成されている。
【００２９】
本発明１は図１に示すように前方から入って来た光（一点斜線の矢印で示している）は、最初に第二鏡２に反射し次に第一鏡１に反射した後、白線を引いている人の目にはライン引きの進行前方を鏡に写して見ることが出来るものである。この風景はライン引き８本体の上面上からの目線で前方の風景を見ているように見ることが出来る。それは人が立って見る高い目線から前方の目標とする目印や巻尺を見るよりは、ライン引き８本体の上面まで低くして見た方が目標とする目印だけを集中してみることが出来るので、ライン引きの経験の少ない人でも前方を見易くすることが出来る。集中して前方を見ることが出来ることはライン引き８のハンドルを持つ腕や上半身を安定させてライン引き本体が振れることを防ぐことになるので、白線を真直ぐに引くことが出来るものである。
【００３０】
実施の形態の一例として、図１に示しているのは出願人が先に取得している特許第３５２１０８４号のライン引き８本体の上面に取り付けたものであるが、市販されている２車輪や４車輪のライン引きの上面に取り付けることも可能である。真直ぐに白線を引くには４車輪の方が安定して綺麗に引くことが出来るのは言うまでもない。
【００３１】
実施の形態の一例として、第一鏡１と第二鏡２はガラス製の鏡で長さは１０ｃｍ、幅は１４ｃｍあり、鉄板を材質とした側板３、３の高さは１５ｃｍ、幅は１４ｃｍあり第一鏡１と第二鏡２の間の間隔は８ｃｍ以上ある。方向指示具４の本体の外側の材質は、鉄、ステンレス、合成樹脂で製作することが出来るので、鏡は両面テープを使用して貼り付けることが出来る。鏡の材質はガラス以外にステンレス、樹脂製のものはあるがステンレスは割れないが少し見難い、樹脂製は見易いが傷が付き易い欠点がある。ガラスの鏡は遠方が綺麗に見えるので、割れる可能性はあるがケースで囲まれているため問題はなく最も適している。この方向指示具４を上面に取り付けたライン引きで巻尺を使用して白線を引いた場合、長い距離を真直ぐに引くことが出来た。
【実施例２】
【００３２】
実施の形態の一例として、図２は本発明２の斜視図を示している。上記第二鏡２の両側面の対向する箇所に軸１１、１１又は軸受け１３、１３を設け、この軸１１、１１又は軸受け１３、１３を上記両側板３、３に軸支して上記第二鏡２の傾斜角度を可変にしたことで構成されている。
【００３３】
実施の形態の一例として、図２に示しているのは第二鏡２の両側面の上方の対向する箇所に軸１１、１１を設けたものであるが、両側面の中央の対向する箇所に軸１１、１１を設けても良い。図３に示すように第二鏡２の手前を下げて斜め下方に傾斜させた場合は、一点斜線で示しているように遠方を見ることが出来る。また第二鏡２の手前を上げて水平にした場合は、一点斜線で示しているように死角になっているライン引き８本体の直ぐ前を見ることが出来る。これから引こうとする白線の場所に合わせることが出来るので、前方が見易くなり白線を引易くすることが出来るものである。
【００３４】
ライン引きを使用する人の背の高さによっても見る視点の高さが異なるので、この微妙な高さの調整をするために第二鏡２の傾斜角度を可変にして見易くしている。他の第一鏡１でもこの傾斜角度を可変にすることは可能である。
【実施例３】
【００３５】
本発明３の実施の形態の一例として、図４は本発明３の斜視図を示している。方向指示具１０４をライン引き８の上面に配設した方向指示具付ライン引きであって、鏡面をライン引きの進行前方斜め上方に向けた方形の第一鏡１０１を設け、この第一鏡１０１の両端部から鏡面に対して垂直に立設した互いに同形の一対の側板３、３を介して鏡面をライン引きの進行後方に向けた第二鏡１０２を設けて方向指示具１０４を構成したことで構成されている。
【００３６】
本発明３は図４に示すように前方から入って来た光（一点斜線の矢印で示している）は、最初に第一鏡１０１に反射し次に第一鏡１０１に反射した後、白線を引いている人の目にはライン引きの進行前方を鏡に写して見ることが出来るものである。この風景はライン引き８本体の上面上からの目線で前方の風景を見ているように見ることが出来る。それは人が立って見る高い視点から前方の目標とする目印や巻尺を見るよりは、ライン引き８本体の上面まで低くして見た方が目標とする目印だけを集中してみることが出来るので、ライン引きの経験の少ない人でも前方を見易くすることが出来る。集中して前方を見ることが出来ることはライン引きのハンドルを持つ腕や上半身を安定させてライン引き本体が振れることを防ぐことになるので、白線を真直ぐに引くことが出来るものである。
【実施例４】
【００３７】
本発明４の実施の形態の一例として、図５、図６は本発明４の斜視図を示している。上記第一鏡１及び上記第二鏡２の鏡面上にライン引きの進行前方に真直ぐに向いた線１０、１０を表示するか又は上記第一鏡１及び上記第二鏡２の間に上記側板３、３と平行方向に照準板５又は複数本の照準体６、６・・・を差し渡して方向指示具４０を構成し、この方向指示具４０をライン引き８の上面に配設したことで構成されている。
【００３８】
実施の形態の一例として、図５に示すように本発明４の方向指示具４０の中の第一鏡１及び第二鏡２の鏡面上の線１０、１０は、前方方向に真直ぐに向いている中心線上に表示しているので片目で覗いて見た場合、この二本の線１０、１０には８ｃｍ以上の間隔が設けてありが重なって一本線に見えた時に、これらの鏡に写って見えている線１０、１０の指し示している方向の場所がライン引きの進行前方に向いている真直ぐな方向であり、この線１０、１０の指し示している方向に目標とする目印の場所を合わせた状態を続けながら白線を引いて行くことによって、巻尺を使わずに真直ぐな白線を引くことが出来るものである。
【００３９】
実施の形態の一例として、鏡面上に線１０を表示する方法はレーザーマーカーで鏡面から中のメッキと裏面塗料を除去すると表示する線１０の幅の部分が透明になり、その部分に黒のインクを塗る方法で製作することが出来る。またスクリーン印刷で、鏡面の下から印刷する方法もある。
【００４０】
実施の形態の一例として、図６に示すように本発明４の方向指示具４０の中の第一鏡１及び第二鏡２の間に側板３、３と平行方向に照準板５又は複数本の照準体６、６・・・を差し渡して設けているものを片目で覗いて見た場合、この照準板５は高さが８ｃｍ以上あり又は複数本の照準体６、６・・・も８ｃｍあるので、これらが一本の直線に見えた時にこれらの鏡に写って見えている直線の指し示している方向の場所がライン引きの進行前方に向いている真直ぐな方向であり、この直線の指し示している方向に目標とする目印の場所を合わせた状態を続けながら白線を引いて行った場合に、巻尺を使わずに真直ぐな白線を引くことが出来るものである。
【００４１】
実施の形態の一例として、第一鏡１と第二鏡２はガラス製で長さ１０ｃｍ幅１４ｃｍあり、側板３、３の高さは１５ｃｍ幅１４ｃｍある。照準板５は１ｃｍ５ｍｍのものを前面板１５と後面板１６に支持させて取り付けてある。照準板５は前面板１５と後面板１６に支持させて取り付けているので、第一鏡１の表面には乗っているだけである。照準板５の第二鏡２に近い部分は第二鏡２が傾斜角度を可変に出来るので、少し間隔を開けて設けてある。方向指示具４０の本体の外側の材質は、鉄、ステンレス、合成樹脂で製作することが出来る。鏡の材質はガラス、ステンレス、樹脂製のものがあるがステンレスは割れないが少し見難く樹脂製は見易いが傷が付き易い問題点がある。ガラス製は割れる可能性があるがケースや照準板５で囲まれているために問題はなく遠方を綺麗に見ることが出来るので最も適している。この本発明４の方向指示具４０を上面に取り付けたライン引きで巻尺を使用せずに長い距離を真直ぐに引くことが出来た。
【実施例５】
【００４２】
本発明５の実施の形態の一例として、図７は本発明５の方向指示具１４４の使用説明図を示している。上記第一鏡１０１及び上記第二鏡１０２の鏡面上にライン引きの進行前方に真直ぐに向いた線１０、１０を表示するか又は上記第一鏡１０１及び上記第二鏡１０２の間に上記側板３、３と平行方向に照準板５又は複数本の照準体６、６・・・を差し渡して方向指示具１４４を構成し、この方向指示具１４４をライン引き８の上面に配設したことで構成されている。
【００４３】
実施の形態の一例として、図７に示すように本発明５の方向指示具１４４の中の第一鏡１０１及び第二鏡１０２の鏡面上の線１０、１０は、ライン引きの進行前方に真直ぐに向いている中心線上に表示しているので片目で覗いて見た場合、この二本の線１０、１０には８ｃｍ以上の間隔が設けてありこの二本の線１０、１０が重なって見えた時に、これらの鏡に写って見えている線１０、１０の指し示している方向の場所がライン引きの進行前方に向いている真直ぐな方向であり、この線１０、１０の指し示している方向に目標とする目印の場所を合わせた状態を続けながら白線を引いて行くことによって、巻尺を使わずに真直ぐな白線を引くことが出来るものである。
【００４４】
実施の形態の一例として、図７に示すように本発明５の方向指示具１４４の中の第一鏡１０１及び第二鏡１０２の間に側板３、３と平行方向に照準板５又は複数本の照準体６、６・・・を差し渡して設けているものを片目で覗いて見た場合、この照準板５は高さが８ｃｍ以上あり又は複数本の照準体６、６・・・も８ｃｍあるので、これらが一本の直線に見えた時にこれらの鏡に写って見えている直線の指し示している方向の場所がライン引きの進行前方に向いている真直ぐな方向であり、この直線の指し示している方向に目標とする目印の場所を合わせた状態を続けながら白線を引いて行った場合に、巻尺を使わずに真直ぐな白線を引くことが出来るものである。この照準板５は底板１２と後板１６に支持させて取り付けてある。また第一鏡１０１及び第二鏡１０２の傾斜角度を可変にして取り付けることも可能である。
【実施例６】
【００４５】
本発明６の実施の形態の一例として、図８は方向指示具の使用説明図を示している。請求項１〜５のいずれかに記載の方向指示具付ライン引きにおいて、上記方向支持具４、１０４、４０、１４４をライン引き８の上面部に水平に回動自在にして設けたことで構成されている。
【００４６】
実施の形態の一例として、図８に示すように方向指示具４の底面１２に設けた軸２１をライン引き上面部に取り付けた軸受け１３に軸支させることによって方向指示具４は水平に回動することが出来る。目印の表示のない野球（ソフトボール）場の白線を引く場合、最初にレフト側の白線を外野まで引き、そしてライン引き８本体上の真直ぐに固定されている方向指示具４を左に回動して正面に対して直角の位置に止める。この状態でホームベースの交点上にライン引き８の粉の出口を置き、ライン引き８本体を動かして方向指示具４の照準板５の指し示す直線の方向を片目で見てレフト側の白線に合わせる。照準板５をレフト側の白線に合わせた時には、ライン引き８本体は直角にライト側に向いているので、この方向指示具４を元の前方真直ぐな位置に戻して固定し、目標とするライト側の目印の方向に真直ぐに向いている照準板５が直線に見えるようにライン引き８本体をコントロールして直角の白線を引いていくことが出来るものである。
【００４７】
実施の形態の一例として、方向指示具４をライン引き８の上面部に水平に回動させる別の方法として、図９に示すように底板１２に軸２１又は軸受け１３を設けてテーブル７上に回動自在にして取り付け、これをライン引き８上に固定して設けることによっても回動させることも出来る。
【図面の簡単な説明】
【００４８】
【図１】本発明１の実施の形態の一例を示す斜視図である。
【図２】本発明２の実施の形態の一例を示す斜視図である。
【図３】本発明２の使用説明図である。
【図４】本発明３の実施の形態の一例を示す斜視図である。
【図５】本発明４の実施の形態の一例を示す斜視図である。
【図６】本発明４の実施の形態の一例を示す斜視図である。
【図７】本発明５の使用説明図である。
【図８】本発明６の使用説明図である。
【図９】本発明６の別の使用説明図である。
【符号の説明】
【００４９】
１    第一鏡
２    第二鏡
３    側板
４    方向指示具
５    照準板
６    照準体
７    テーブル  
８    ライン引き
９    ストッパー
１０    線  
１１    軸
１２    底板
１３    軸受け
１４    印
１５    前面板
１６    後面板
２１    軸
４０    方向指示具
１０１    第一鏡
１０２    第二鏡
１０４    方向指示具
１４４    方向指示具
【要約】
【課題】
競技前の準備のためグランドにおいて白線を引く場合に、ライン引きの進行前方が見易いライン引きにする事と、あらかじめ計測して目印を印した所や遠方の目標とする目印のある所に巻尺を使用せず真直ぐに白線を引くことができるようにする事と、簡単に直角や４５度の位置決めをして白線を引くことが出来るようにする事を課題としたものである。
【解決手段】
方向指示具４をライン引き８の上面に配設した方向指示具付ライン引きであって、鏡面を上方に向けた方形の第一鏡１を設け、この第一鏡１の上方に第一鏡１に対して垂直に立設した互いに同形の一対の側板３、３を介して鏡面をライン引きの進行前方斜め下方に向けた第二鏡２を設けて方向指示具４を構成したことである。
【選択図】    図１
【図１】
0003717079.tif 000002
【図２】
0003717079.tif 000003
【図３】
0003717079.tif 000004
【図４】
0003717079.tif 000005
【図５】
0003717079.tif 000006
【図６】
0003717079.tif 000007
【図７】
0003717079.tif 000008
【図８】
0003717079.tif 000009
【図９】
0003717079.tif 000010